(57)【特許請求の範囲】
【請求項１】
スライドレールアセンブリであって、
第１のレールと、
前記第１のレールに対して移動可能な第２のレールと、
前記第１のレールに配置されるとともに制限部を有するブロックベースと、
複数の回転部材を含むボールリテーナであって、該ボールリテーナは前記第１のレールと前記第２のレールとの間に取り付けられるとともに接触部を有する、ボールリテーナと、
前記第２のレールに取り付けられるとともに第１の状態から第２の状態に動かされるように構成されたブロック部材と、
を含み、
前記ブロック部材が前記第１の状態にあり且つ前記第２のレールが前記第１のレールに対してある方向に沿って所定の位置に動かされると、前記ブロック部材は、前記ブロック部材が前記ブロックベースの制限部に当接するまで前記ボールリテーナの接触部を押して前記ボールリテーナを前記方向に沿って動かし、
前記ブロック部材が前記第１の状態から前記第２の状態に動かされると、前記第２のレールを前記第１のレールから取り外すことができるように前記ブロック部材は前記ブロックベースの制限部ともはや当接していない、スライドレールアセンブリ。
【請求項２】
前記第１のレールは前端を有し、前記ブロックベースは前記第１のレールの前端の近傍で前記第１のレールに配置されている、請求項１に記載のスライドレールアセンブリ。
【請求項３】
前記ブロックベースは弾性アームをさらに有し、前記ボールリテーナは係合機構をさらに有し、前記ブロック部材が前記ブロックベースの制限部に当接するまで前記ボールリテーナが前記方向に沿って動かされると、前記係合機構が前記弾性アームと係合する、請求項１に記載のスライドレールアセンブリ。
【請求項４】
前記ボールリテーナは上壁と、底壁と、該上壁及び該底壁の間に連結された長手壁とを含み、前記複数の回転部材は前記ボールリテーナの上壁及び底壁に取り付けられている、請求項１に記載のスライドレールアセンブリ。
【請求項５】
前記ブロック部材はブロック部と、解除部と、該ブロック部及び該解除部の間に位置する枢動部とを含み、前記スライドレールアセンブリは前記ブロック部材を前記第２のレールに枢動可能に連結するために該枢動部を通る枢動部材をさらに含む、請求項１に記載のスライドレールアセンブリ。
【請求項６】
第１の弾性部材をさらに含み、前記ブロック部材は、該第１の弾性部材の弾性力に反応して前記第２のレールに対して前記第１の状態で保持されるように構成されている、請求項５に記載のスライドレールアセンブリ。
【請求項７】
操作部材をさらに含み、該操作部材は、該操作部材が前記ブロック部材を前記第１の状態から前記第２の状態に動かすことができるように、前記ブロック部材の解除部と対向する当接部を含む、請求項５に記載のスライドレールアセンブリ。
【請求項８】
前記操作部材に弾性力を提供するように構成された第２の弾性部材をさらに含む、請求項７に記載のスライドレールアセンブリ。
【請求項９】
前記操作部材の当接部及び前記ブロック部材の解除部のうちの一方は、前記操作部材が前記ブロック部材を駆動し、前記ブロック部材が前記当接部を通り抜けるようにするのを促進するためにガイド面を有する、請求項７に記載のスライドレールアセンブリ。
【請求項１０】
前記第１のレールは上壁と、底壁と、該上壁及び該底壁との間に連結された長手壁とを含み、該上壁、該底壁及び該長手壁によって通路が定義され、前記第２のレールは該通路内に取り付けられるように構成されている、請求項１に記載のスライドレールアセンブリ。
【請求項１１】
スライドレールアセンブリであって、
第１のレールと、
前記第１のレールに対して移動可能な第２のレールと、
前記第１のレールに配置されるとともに制限部を有するブロックベースと、
前記第１のレールに対する前記第２のレールの移動を促進するように構成されるとともに、接触部を有するボールリテーナと、
前記第２のレールに対して第１の状態から第２の状態に動くように構成されたブロック部材と、
を含み、
前記ブロック部材が前記第１の状態にある場合、前記ブロック部材は、前記第２のレールの動作に反応して、前記ボールリテーナの接触部を前記ブロックベースの制限部に前記ブロック部材が当接するまで押して前記ボールリテーナを動かすように構成され、
前記ブロック部材が前記第２の状態にある場合、前記ブロック部材は前記ブロックベースの制限部ともはや当接していない、スライドレールアセンブリ。
【請求項１２】
前記ブロック部材は弾性アームをさらに有し、前記ボールリテーナは係合機構をさらに有し、前記ブロック部材が前記ブロックベースの制限部に当接するまで前記ボールリテーナが動かされると、該係合機構が該弾性アームと係合する、請求項１１に記載のスライドレールアセンブリ。
【請求項１３】
前記ブロック部材はブロック部と、解除部と、該ブロック部及び該解除部の間に位置する枢動部とを含み、前記スライドレールアセンブリは前記ブロック部材を前記第２のレールに枢動可能に連結するために該枢動部を通る枢動部材をさらに含む、請求項１１に記載のスライドレールアセンブリ。
【請求項１４】
第１の弾性部材をさらに含み、前記ブロック部材は、該第１の弾性部材の弾性力に反応して前記第２のレールに対して前記第１の状態で保持されるように構成されている、請求項１１に記載のスライドレールアセンブリ。
【請求項１５】
操作部材をさらに含み、該操作部材は、前記操作部材が前記ブロック部材を前記第１の状態から前記第２の状態に動かすことができるように前記ブロック部材の解除部に対向する当接部を含む、請求項１３に記載のスライドレールアセンブリ。
【発明の詳細な説明】
【技術分野】
【０００１】
本発明はスライドレールアセンブリに関し、より具体的には、所定の位置に移動するように構成されたボールリテーナを有するスライドレールアセンブリに関する。
【背景技術】
【０００２】
一般に、スライドレールアセンブリは第１のレール及び第２のレール等の少なくとも２つのレールを含む。第２のレールは第１のレールに対して移動可能である。第１のレールに対して第２のレールを円滑に動かすのを促進するために、第１のレールと第２のレールとの間にはボールリテーナが通常取り付けられている。例えば、特許文献１にはスライド機構が開示されている。該スライド機構は外側スライド部材（２４）、内側スライド部材（２６）及びボールリテーナ（６０）を含む。ボールリテーナ（６０）は外側スライド部材（２４）と内側スライド部材（２６）との間に取り付けられている。内側スライド部材（２６）はリサイクルタブ（４９）を有する。内側スライド部材（２６）にボールリテーナ（６０）を駆動させるために、ボールリテーナ（６０）も、内側スライド部材（２６）のリサイクルタブ（４９）と係合するように構成されたカウンタータブ（６７）を有する。しかしながら、レールは取り外し可能ではないため、レールの使用が不便である。
【０００３】
特許文献１は、ボールリテーナを駆動して動かすことが可能な内側スライド部材を有するスライド機構を提供する。しかしながら、機能の多様性のために、操作方法が異なるスライドレールアセンブリを提供することで市場により多くの選択肢をもたらすことができる。
【先行技術文献】
【特許文献】
【０００４】
【特許文献１】米国特許第３９０４２５４号明細書
【特許文献２】米国特許第７９１８５１７号明細書
【発明の概要】
【発明が解決しようとする課題】
【０００５】
本発明は、ある方向に沿って移動可能なボールリテーナを有するスライドレールアセンブリに関する。
【課題を解決するための手段】
【０００６】
本発明の一実施形態によれば、スライドレールアセンブリは第１のレールと、第２のレールと、ブロックベースと、ボールリテーナと、ブロック部材（blocking  member）とを含む。第２のレールは第１のレールに対して移動可能である。ブロックベースは第１のレールに配置されている。ブロックベースは制限部（limiting  part）を有する。ボールリテーナは複数の回転部材を含む。該ボールリテーナは第１のレールと第２のレールとの間に取り付けられる。ボールリテーナは接触部を有する。ブロック部材は第２のレールに取り付けられるとともに、第１の状態から第２の状態に作動的に動かされるように構成されている。ブロック部材が第１の状態にあり且つ第２のレールが第１のレールに対してある方向に沿って所定の位置に動かされると、ブロック部材は、ブロック部材がブロックベースの制限部に当接するまでボールリテーナの接触部を押してボールリテーナを前記方向に沿って動かす。ブロック部材が第１の状態から第２の状態に作動的に動かされると、第２のレールを第１のレールから取り外すことができるようにブロック部材はブロックベースの制限部ともはや当接していない。
【０００７】
第１のレールは前端を有することが好ましい。ブロックベースは第１のレールの前端の近傍で第１のレールに配置されている。
【０００８】
ブロックベースは弾性アームをさらに有することが好ましい。ボールリテーナは係合機構をさらに有する。ブロック部材がブロックベースの制限部に当接するまでボールリテーナが前記方向に沿って動かされると、係合機構が弾性アームと係合する。
【０００９】
ボールリテーナは上壁と、底壁と、該上壁及び該底壁の間に連結された長手壁とを含むことが好ましい。複数の回転部材はボールリテーナの上壁及び底壁に取り付けられている。
【００１０】
ブロック部材はブロック部と、解除部と、該ブロック部及び該解除部の間に位置する枢動部とを含むことが好ましい。スライドレールアセンブリはブロック部材を第２のレールに枢動可能に連結するために該枢動部を通る枢動部材をさらに含む。
【００１１】
スライドレールアセンブリは第１の弾性部材をさらに含むことが好ましい。ブロック部材は、該第１の弾性部材の弾性力に反応して第２のレールに対して第１の状態で保持されるように構成されている。
【００１２】
スライドレールアセンブリは操作部材をさらに含むことが好ましい。操作部材は、操作部材がブロック部材を第１の状態から第２の状態に作動的に動かすことができるように、ブロック部材の解除部と対向する当接部を含む。
【００１３】
スライドレールアセンブリは、操作部材に弾性力を提供するように構成された第２の弾性部材をさらに含むことが好ましい。
【００１４】
操作部材の当接部及びブロック部材の解除部のうちの一方は、操作部材がブロック部材を駆動し、ブロック部材が当接部を通り抜けるようにするのを促進するためにガイド面を有することが好ましい。
【００１５】
第１のレールは上壁と、底壁と、該上壁及び該底壁との間に連結された長手壁とを含むことが好ましい。該上壁、該底壁及び該長手壁によって通路が定義される。第２のレールは該通路内に取り付けられるように構成されている。
【００１６】
本発明の他の実施形態によれば、スライドレールアセンブリは第１のレールと、第２のレールと、ブロックベースと、ボールリテーナと、ブロック部材とを含む。第２のレールは第１のレールに対して移動可能である。ブロックベースは第１のレールに配置されている。ブロックベースは制限部を有する。ボールリテーナは第１のレールに対する第２のレールの移動を促進するように構成されている。ボールリテーナは接触部を有する。ブロック部材は第２のレールに対して第１の状態から第２の状態に作動的に動くように構成されている。ブロック部材が前記第１の状態にある場合、ブロック部材は、第２のレールの動作に反応して、ボールリテーナの接触部をブロックベースの制限部にブロック部材が当接するまで押してボールリテーナを動かすように構成されている。ブロック部材が第２の状態にある場合、ブロック部材はブロックベースの制限部ともはや当接していない。
【００１７】
様々な図面に図示する下記の好ましい実施形態の詳細な説明を読み終えた後、本発明の上記の目的及び他の目的が当業者に間違いなく明らかになる。
【図面の簡単な説明】
【００１８】
【図１】図１は、本発明の一実施形態に係るスライドレールアセンブリの分解図である。
【図２】図２は、本発明の一実施形態に係るスライドレールアセンブリのブロックベースを示す図である。
【図３】図３は、ブロック部材及び操作部材と共に配置されたスライドレールアセンブリの第２のレールを示す図である。
【図４】図４は、第１の弾性部材の弾性力に反応して、第２のレールに対して第１の状態で保持されたブロック部材を示す図である。
【図５】図５は、操作部材により第１の状態から第２の状態に作動的に動かされたブロック部材を示す図である。
【図６】図６は、本発明の一実施形態に係るスライドレールアセンブリのボールリテーナを示す図である。
【図７】図７は、ブロック部材４２が第１の状態で配置された状態で、第３のレールに対してある方向に沿って引き出された第１のレール及び第２のレールを示す図である。
【図８】図８は、第１のレールに対して第２のレールが引き出された場合にブロック部材のブロック部によって押されたボールリテーナの接触部を示す図である。
【図９】図９は、第１のレールに対して第２のレールが引き出された場合に第１のレールのブロックベースの制限部にさらに当接するブロック部材のブロック部を示す図である。
【図１０】図１０は、ボールリテーナが第１のレールの前端に近づくように動かされた場合にブロックベースの弾性アームと係合するボールリテーナの係合機構を示す図である。
【図１１】図１１は、第１のレールに対して第２のレールがさらに引っ張り出されるのを防止するためのブロックベースの制限部に当接するブロック部材のブロック部を示す図である。
【図１２】図１２は、ブロック部材の制限部から外れるように作動的に動かされたブロック部材を示す図である。
【図１３】図１３は、第１のレールから取り外された第２のレールを示す図である。
【発明を実施するための形態】
【００１９】
図１に示すように、本発明のスライドレールアセンブリは第１のレール２０と、第２のレール２２と、第１のレール２０及び第２のレール２２の間に取り付けられたボールリテーナ２４を含む。スライドレールアセンブリは、スライドレールアセンブリの移動距離を伸長するために、第１のレール２０に移動可能に連結された第３のレール２６をさらに含むことが好ましい。第１のレール２０は、上壁２８ａと、底壁２８ｂと、上壁２８ａ及び底壁２８ｂの間に連結された長手壁３０とを含む。上壁２８ａ、底壁２８ｂ及び長手壁３０によって通路３２が定義されている。第２のレール２２は、通路３２内で取り付けられるように構成されている。ブロックベース３４は第１のレール２０の前端の近傍で第１のレール２０に取り付けられている。図２に示すように、制限部３５及び弾性アーム３６がブロックベース３４の２つの側にそれぞれ配置されている。第２のレール２２は、第１のレール２０の通路３２内で第１のレール２０に対して移動可能である。
【００２０】
図３及び図４に示すように、第２のレール２２は上壁３８ａと、底壁３８ｂと、上壁３８ａ及び底壁３８ｂの間に連結された長手壁４０とを含む。スライドレールアセンブリは、第２のレール２２の長手壁４０に取り付けられたブロック部材４２をさらに含む。ブロック部材４２はブロック部４４と、解除部４６と、ブロック部４４及び解除部４６の間に位置する枢動部４８とを含む。スライドレールアセンブリは、ブロック部材４２を第２のレール２２の長手壁４０に枢動可能に連結するためにブロック部材４２の枢動部４８を通る枢動部材５０をさらに含む。スライドレースアセンブリは第１の弾性部材５２と、操作部材５４とをさらに含むことが好ましい。具体的には、第１の弾性部材５２は、ブロック部材４２に弾性力を提供するために第２のレール２２の長手壁４０に配置されている。ブロック部材４２は、第１の弾性部材５２の弾性力に反応して、第２のレール２２に対して第１の状態Ｓ１で保持されるように構成されている。操作部材５４は第２のレール２２に移動可能に連結されている。操作部材５４は操作部５６及び当接部５８を含む。当接部５８はブロック部材４２の解除部４６に対向する。当接部５８及び解除部４６のうちの一方がガイド面５７を有することが好ましい。例えば、当接部５８は、ブロック部材４２の解除部４６を駆動（押圧等）するために湾曲面を有する。上記の構成によれば、操作部材５４は、ブロック部材４２を第１の状態Ｓ１から第２の状態Ｓ２にブロック部材４２を作動的に動かすように構成されている（図５参照）。スライドレールアセンブリは、操作部材５４に弾性力を提供するように構成された第２の弾性部材６０をさらに含むことが好ましい。本実施形態では、第２の弾性部材６０は取り付けベース６２を通じて第２のレール２２の長手壁４０に取り付けられており、第２の弾性部材６０は、操作部材５４の所定の力受部６４に弾性力を提供するように構成されている。そのため、操作部材５４の操作部５６が外力によって作動的に動かされると、操作部材５４は、外力の存在がなくなると、第２の弾性部材６０によって生成された弾性力に反応して初期位置へと戻る。
【００２１】
図６に示すように、ボールリテーナ２４は上壁６６ａと、底壁６６ｂと、上壁６６ａ及び底壁６６ｂの間に連結された長手壁６８と、ボールリテーナ２４の上壁６６ａ及び底壁６６ｂに取り付けられた複数の回転部材７０とを含む。複数の回転部材７０は、第１のレール２０に対して第２のレール２２が円滑に動くのを促進するために、第１のレール２０及び第２のレール２２の間で接触するボール又は回転輪であり得る。本実施形態では、接触部７２及び係合機構７４がボールリテーナ２４の前端に配置されている。
【００２２】
図７〜図９に示すように、ブロック部材４２が第１の状態Ｓ１（図４に示すように、ブロック部材４２が作動的に動かない状態）に配置された状態で、第１のレール２０及び第２のレール２２が閉じた状態から第３のレール２６に対して方向Ｄ（伸長方向等）に沿って引き出されると、ブロック部材４２のブロック部４４は、ボールリテーナ２４の接触部７２及びブロックベース３４の制限部３５に対応する。ボールリテーナ２４の接触部７２はブロックベース３４の制限部３５から離れている。そのため、第１のレール２０に対して第２のレール２２が引き出されて所定の位置に動かされると、ボールリテーナ２４が動かされるように、ボールリテーナ２４の接触部７２が先ずブロック部材４２のブロック部４４によって押される。その後、ブロック部材４２のブロック部４４は第１のレール２０のブロックベース３４の制限部３５とさらに当接する。
【００２３】
図１０に示すように、第１のレール２０の前端に近づくようにボールリテーナ２４が動かされると、ボールリテーナ２４の係合機構７４が第１のレール２０のブロックベース３４の弾性アーム３６と係合するため、ボールリテーナ２４をその位置で一時的に保持することができる。他方、図１１に示すように、ブロック部材４２のブロック部４４は、第１のレールに対して第２のレール２２がさらに引き出されることがないようにブロックベース３４の制限部３５にさらに当接する。
【００２４】
図１２及び図１３に示すように、操作部材５４が操作されると、ブロック部材４２は、操作部材５４の操作に反応して作動的に動かされる。従って、ブロック部材４２はもはやブロックベース３４の制限部３５と当接しておらず、ブロックベース３４の制限部３５から外れているため、第２のレール２２を第１のレール２０から取り外すことができる。
【００２５】
上記の説明によれば、第１のレールに対して第２のレールを円滑に移動させるのを促進するとともに、より良好な支持を提供するために、脱着可能なスライドレールアセンブリの構成は、ボールリテーナ２４が駆動されて第１のレールの前端に移動するのを確実なものにする。
【００２６】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００２７】
２０  第１のレール
２２  第２のレール
２４  ボールリテーナ
２６  第３のレール
２８ａ  上壁
２８ｂ  底壁
３０  長手壁
３２  通路
３４  ブロックベース
３５  制限部
３６  弾性アーム
３８ａ  上壁
３８ｂ  底壁
４０  長手壁
４２  ブロック部材
４４  ブロック部
４６  解除部
４８  枢動部
５０  枢動部材
５２  第１の弾性部材
５４  操作部材
５６  操作部
５８  当接部
６０  第２の弾性部材
６２  取り付けベース
６４  力受部
６６ａ  上壁
６６ｂ  底壁
６８  長手壁
７０  回転部材
７２  接触部
７４  係合機構
【図１】
0006321103.tif 000002
【図２】
0006321103.tif 000003
【図３】
0006321103.tif 000004
【図４】
0006321103.tif 000005
【図５】
0006321103.tif 000006
【図６】
0006321103.tif 000007
【図７】
0006321103.tif 000008
【図８】
0006321103.tif 000009
【図９】
0006321103.tif 000010
【図１０】
0006321103.tif 000011
【図１１】
0006321103.tif 000012
【図１２】
0006321103.tif 000013
【図１３】
0006321103.tif 000014